(57)【特許請求の範囲】
【請求項１】
電線の被覆を剥取る電線被覆切断用刃を前記電線に当接させるねじの先端にねじ回し孔が形成された平板状のねじ回し部を有する第１操作部と、前記第１操作部とは略直交する方向に延びた支持部の先端に操作孔を有する第２操作部とを備える電線被覆剥取り工具、及び支軸の先端に設けられた互いに対向する２つの口金を近接又は離間させる把持工具を用いる間接活線工事において前記把持工具の先端に取付けられる補助部材であって、
２つの前記口金の先端にそれぞれ装着され、互いに対向する対向面をそれぞれ有する第１部材及び第２部材を備え、
前記第１部材及び前記第２部材は、前記対向面において、前記口金を近接させたときに、前記ねじ回し部を狭持し、
前記第１部材及び前記第２部材の前記対向面には、前記ねじ回し孔に係合する突起がそれぞれ形成されている補助部材。
【請求項２】
前記第１部材又は前記第２部材には、前記対向面と略直交する側面に、首部と前記首部の先端に形成され前記首部より外径が大きい頭部とから成る引っ掛け部が設けられ、
前記引っ掛け部の前記頭部は、その外径が前記ねじ回し孔及び前記操作孔の内径より小さく形成されている請求項１に記載の補助部材。
【請求項３】
前記第１部材及び前記第２部材には、基端に前記口金の先端が挿入される口金挿入部が形成され、先端に前記ねじの一部を覆って係合するねじ係合部が形成されている請求項１又は２に記載の補助部材。
【発明の詳細な説明】
【技術分野】
【０００１】
本発明は、把持工具の補助部材に関する。詳しくは、間接活線工事において電線被覆剥ぎ取り工具を操作する把持工具の補助部材に関する。
【背景技術】
【０００２】
従来より、高圧配電線路の変圧器工事等に伴う間接活線工事では、活線状態のままで電線被覆の剥ぎ取りから絶縁処理まで行う。そのため、絶縁棒を備える各種工具や絶縁棒の先端に取り付けられた先端工具を使用し、直接電線の通電部分に触れずに作業を進める。
【０００３】
このような間接活線工事において、電線被覆の剥ぎ取り作業を行う際には、電線被覆剥取り工具が用いられる。電線被覆剥取り工具は、支持工具により電線に掛けられ、さらに別の操作工具により操作される。
このような操作工具として、先端にフックを有するバインド打ち器が提案されている（特許文献１）。
【０００４】
図６は、従来の電線被覆の剥ぎ取り作業を説明する図である。
電線被覆剥取り工具であるハグラー５００は、電線２の被覆を剥取る電線被覆切断用刃５１０と、この電線被覆切断用刃５１０を電線２に当接させるためのねじ回し孔５２３を先端に備えた第１操作部５２０と、この第１操作部５２０とは略直交する方向に延びた支持部５３１の先端に操作孔５３２を有する第２操作部５３０とを備えている。
このハグラー５００は、電線把持器７００により電線に掛けられ支持され、さらに別の先端工具であるバインド打ち器８００により操作される。
【０００５】
従来の電線被覆の剥ぎ取り作業について説明する。
ハグラー５００は、第２操作部５３０の支持部５３１が電線把持器７００に支持され、例えば、図示しない高所作業車の作業床に乗った作業者により、電線２に掛けられ支持される。続いて、作業者は、電線２を電線把持器７００で支持しつつ、バインド打ち器８００のフック８１０をハグラー５００のねじ回し孔５２３に引っ掛けて、バインド打ち器８００を回転させる。これにより、第１操作部５２０が回転し電線被覆切断用刃５１０を電線２の被覆に食い込ませる。次に、作業者は、第２操作部５３０の操作孔５３２にバインド打ち器８００のフック８１０を挿し入れ、ハグラー５００自体を電線２を中心に回転させる操作を行う。
このように、従来の電線被覆の剥取り作業では、電線被覆剥取り工具の他に、複数の先端工具を用いて取付け及び操作を行っていた。
【先行技術文献】
【特許文献】
【０００６】
【特許文献１】特開２００８−１８２８２０号公報
【発明の概要】
【発明が解決しようとする課題】
【０００７】
しかしながら、間接活線工事における電線被覆剥取り工具の操作は、高所作業車の作業床のような高所に設置された足場において行われる。よって、複数の先端工具を用いた操作は、電線被覆の剥取り作業の作業効率を落としていた。
【０００８】
本発明は、間接活線工事における電線被覆剥取り工具の操作を１つの先端工具である把持工具で行うことで、電線被覆の剥取り作業の作業効率を向上することを目的とする。
【課題を解決するための手段】
【０００９】
本発明の補助部材（例えば、補助部材１）は、
電線（例えば、電線２）の被覆を剥取る電線被覆切断用刃（例えば、電線被覆切断用刃５１０）を前記電線に当接させるねじ（例えば、ねじ５２１）の先端にねじ回し孔（例えば、ねじ回し孔５２３）が形成された平板状のねじ回し部（例えば、ねじ回し部５２２）を有する第１操作部（例えば、第１操作部５２０）と、前記第１操作部とは略直交する方向に延びた支持部（例えば、支持部５３１）の先端に操作孔（例えば、操作孔５３２）を有する第２操作部（例えば、第２操作部５３０）とを備える電線被覆剥取り工具（例えば、ハグラー５００）、及び支軸の先端に設けられた互いに対向する２つの口金（例えば、口金６１０）を近接又は離間させる把持工具（例えば、ヤットコ６００）を用いる間接活線工事において前記把持工具の先端に取付けられる補助部材であって、
２つの前記口金の先端にそれぞれ装着され、互いに対向する対向面（例えば、対向面１１１，１２１）をそれぞれ有する第１部材（例えば、第１部材１１）及び第２部材（例えば、第２部材１２）を備え、
前記第１部材及び前記第２部材は、前記対向面において、前記口金を近接させたときに、前記ねじ回し部を狭持し、
前記第１部材及び前記第２部材の前記対向面には、前記ねじ回し孔に係合する突起（例えば、突起１１２，１２２）がそれぞれ形成されている。
【００１０】
この発明によれば、電線被覆剥取り工具及び把持工具を用いる間接活線工事において把持工具の先端に取付けられる補助部材は、把持工具の２つの口金の先端にそれぞれ装着され、互いに対向する対向面をそれぞれ有する第１部材及び第２部材を備えた。そして、第１部材及び第２部材は、対向面において、電線被覆剥取り工具のねじ回し部を狭持する。また、これらの対向面には、電線被覆剥取り工具のねじ回し孔に係合する突起をそれぞれ形成した。
【００１１】
よって、本発明の補助部材を適用した電線被覆の剥ぎ取り作業は、以下のとおりである。
まず、第１部材及び第２部材を把持工具の２つの口金の先端にそれぞれ装着する。そして、把持工具の２つの口金を近接させ、電線被覆剥取り工具における第１操作部のねじ回し部を、第１部材及び第２部材の対向面で狭持する。このとき、これらの対向面に形成した突起は、ねじ回し部のねじ回し孔に係合させる。そして、把持工具の端部を持って、電線被覆剥取り工具を電線に掛ける。
次に、ねじ回し部を第１部材及び第２部材の対向面で狭持したまま、把持工具を回転させる。すると、ねじが回転して電線被覆切断用刃が電線に押しつけられ、電線被覆切断用刃が電線の被覆に食い込む。
【００１２】
このように、間接活線工事における電線被覆剥取り工具の操作において、電線把持器３００（図６参照）やバインド打ち器８００（図６参照）を用いることなく、補助部材を装着した把持工具だけで、電線被覆剥取り工具を電線に掛け、電線の被覆に電線被覆切断用刃を食い込ませることができる。
したがって、間接活線工事における電線被覆剥取り工具の操作を１つの先端工具である把持工具で行うことで、電線被覆の剥取り作業の作業効率を向上できる。
【００１３】
また、前記第１部材又は前記第２部材（例えば、第１部材１１）には、前記対向面と略直交する側面（例えば、側面１１８）に、首部（例えば、首部１１６ａ）と前記首部の先端に形成され前記首部より外径が大きい頭部（例えば、頭部１１６ｂ）とから成る引っ掛け部（例えば、引っ掛け部１１６）が設けられ、
前記引っ掛け部の前記頭部は、その外径が前記ねじ回し孔及び前記操作孔の内径より小さく形成されている。
【００１４】
この発明によれば、第１部材又は第２部材の側面に、首部と首部より外径が大きい頭部とから成る引っ掛け部を設けた。そして、引っ掛け部の頭部は、その外径がねじ回し孔及び操作孔の内径より小さく形成した。
【００１５】
よって、本発明の補助部材を適用した電線被覆の剥ぎ取り作業は、以下のとおりである。
電線被覆切断用刃を電線の被覆に食い込ませた後に、把持工具の口金を離間させ、第１部材及び第２部材の対向面で狭持していたねじ回し部を開放する。
次に、引っ掛け部の頭部を、電線被覆剥取り工具の第１操作部のねじ回し孔に挿通する。そして、把持工具を上方に押し上げる。すると、電線被覆剥取り工具は、電線を中心に回動し、第１操作部が上方に回動するとともに、第２操作部が下方に回動する。
次に、引っ掛け部の頭部を、第１操作部のねじ回し孔から抜き、第２操作部の操作孔に挿通する。そして、把持工具を上方に押し上げる。すると、電線被覆剥取り工具は、電線を中心に回動し、第２操作部が上方に回動するとともに、第１操作部が下方に回動する。このような電線被覆剥取り工具の操作により、電線の被覆を剥取ることができる。
【００１６】
このように、間接活線工事における電線被覆剥取り工具の操作において、電線把持器３００（図６参照）やバインド打ち器８００（図６参照）を用いることなく、補助部材を装着した把持工具だけで、電線被覆剥取り工具を回転させ、電線の被覆を剥取ることができる。
したがって、間接活線工事における電線被覆剥取り工具の操作を１つの先端工具である把持工具で行うことで、電線被覆の剥取り作業の作業効率を向上できる。
【００１７】
また、前記第１部材及び前記第２部材には、基端に前記口金の先端が挿入される口金挿入部（例えば、口金挿入部１１３，１２３）が形成され、先端に前記ねじの一部を覆って係合するねじ係合部（例えば、ねじ係合部１１４，１２４）が形成されている。
【００１８】
この発明によれば、第１部材及び第２部材に、基端に口金の先端が挿入される口金挿入部を形成し、先端にねじの一部を覆って係合するねじ係合部を形成した。
【００１９】
よって、把持工具の２つの口金を近接させ、電線被覆剥取り工具における第１操作部のねじ回し部を、第１部材及び第２部材の対向面で狭持するとともに、ねじの一部をねじ係合部で覆って係合できる。これにより、第１部材及び第２部材の対向面での狭持による圧迫力と、ねじ係合部での係合による支持力により、電線被覆剥取り工具を保持できるので、電線被覆剥取り工具を電線に掛ける作業が容易になる。
【００２０】
したがって、間接活線工事における電線被覆剥取り工具の操作を１つの先端工具である把持工具で行うことで、電線被覆の剥取り作業の作業効率をより向上できる。
【発明の効果】
【００２１】
本発明によれば、間接活線工事における電線被覆剥取り工具の操作を１つの先端工具である把持工具で行うことで、電線被覆の剥取り作業の作業効率を向上できる。
【図面の簡単な説明】
【００２２】
【図１】本発明の第１実施形態に係る補助部材を適用した電線被覆の剥ぎ取り作業における先端工具の説明図である。
【図２】本発明の第１実施形態に係る補助部材の斜視図である。
【図３】本発明の第１実施形態に係る補助部材のヤットコ係止部を説明する図である。（ａ）は、第２部材の長手方向の断面図である。（ｂ）は、ヤットコ係止部の（ａ）の断面方向と交差する方向の断面図である。
【図４】本発明の第１実施形態に係る補助部材を適用した電線被覆の剥ぎ取り作業を説明する図である。（ａ）は、本作業において、電線被覆切断用刃を電線の被覆に食い込ませるまでの作業を説明する図である。（ｂ）及び（ｃ）は、本作業において、電線被覆切断用刃を電線の被覆に食い込ませた後、電線の被覆を剥取るまでの作業を説明する図である。
【図５】本発明の第２実施形態に係る補助部材１Ａの斜視図である。
【図６】従来の電線被覆の剥ぎ取り作業を説明する図である。
【発明を実施するための形態】
【００２３】
以下に、本発明の実施形態を図面に基づいて詳細に説明する。なお、以下の実施形態の説明にあたって、同一構成要件については同一符号を付し、その説明を省略もしくは簡略化する。
【００２４】
〔第１実施形態〕
図１は、本発明の第１実施形態に係る補助部材１を適用した電線被覆の剥ぎ取り作業における先端工具の説明図である。
この作業における先端工具は、電線２に掛けられた電線被覆剥取り工具であるハグラー５００と、このハグラー５００を支持する補助部材１が装着された把持工具であるヤットコ６００とである。
【００２５】
ハグラー５００は、第１操作部５２０と、この第１操作部５２０とは略直交する方向に延びた支持部５３１の先端に操作孔５３２を有する第２操作部５３０とを備える。第１操作部５２０は、電線２の被覆を剥取る電線被覆切断用刃５１０と、この電線被覆切断用刃５１０を電線２に当接させる軸状のねじ５２１と、このねじ５２１の先端に略円形状のねじ回し孔５２３が形成された平板状のねじ回し部５２２と、を有する。
【００２６】
ヤットコ６００は、支軸の先端に設けられた互いに対向する２つの口金６１０を備える。これら２つの口金６１０は、上記支軸の操作により近接又は離間することができる。
【００２７】
補助部材１は、２つの口金６１０の先端にそれぞれ装着される第１部材１１及び第２部材１２を備える。
第１部材１１及び第２部材１２は、ヤットコ６００の２つの口金６１０を近接させたときに、ハグラー５００のねじ回し部５２２を狭持する。
【００２８】
図２は、本発明の第１実施形態に係る補助部材１の斜視図である。
第１部材１１は、第１部材本体１１０と、第１部材本体１１０の平面状の対向面１１１から突出する突起１１２と、第１部材本体１１０の基端に形成された口金挿入部１１３と、第１部材本体１１０の先端に形成されたねじ係合部１１４と、対向面１１１と略直交する側面１１８から突出する引っ掛け部１１６と、対向面１１１の背後に位置する背面１１７に形成された係止孔１１０ａを中心に設けられたヤットコ係止部２００と、を備える。
【００２９】
第２部材１２は、第２部材本体１２０と、第２部材本体１２０の平面状の対向面１２１から突出する突起１２２と、第２部材本体１２０の基端に形成された口金挿入部１２３と、第２部材本体１２０の先端に形成されたねじ係合部１２４と、対向面１２１の背後に位置する背面１２７に形成された係止孔１２０ａを中心に設けられたヤットコ係止部２００と、を備える。
【００３０】
対向面１１１及び対向面１２１は、第１部材１１及び第２部材１２がヤットコ６００に装着されたときに、互いに対向するように配置され、２つの口金６１０互いに近接させたときに、平板状のねじ回し部５２２を狭持する。
【００３１】
突起１１２及び突起１２２は、その外径が略円形状のねじ回し孔５２３の内径より小さく形成され、２つの口金６１０を互いに近接させたときに、ねじ回し孔５２３と係合する。
【００３２】
口金挿入部１１３及び口金挿入部１２３は、ヤットコ６００の口金６１０の先端部分が挿入可能な穴である。
【００３３】
ねじ係合部１１４は、対向面１１１側に凹んだ湾曲面を有し、２つの口金６１０互いに近接させたときに、この湾曲面においてねじ５２１の一部を覆って係合する。また、ねじ係合部１２４は、対向面１２１側がねじ５２１の一部を覆って係合する。すなわち、ねじ係合部１１４及びねじ係合部１２４は、２つの口金６１０を互いに近接させたときに、ねじ５２１を保持する。
【００３４】
引っ掛け部１１６は、軸状の首部１１６ａと、首部１１６ａの先端に形成され首部１１６ａより外径が大きい円板状の頭部１１６ｂとから成る。また、頭部１１６ｂは、その外径がねじ回し孔５２３及び操作孔５３２の内径より小さく形成されている。
なお、本実施形態では引っ掛け部１１６を第１部材１１に設けているが、本発明では第２部材１２に設けてもよい。
【００３５】
図３は、本発明の第１実施形態に係る補助部材１のヤットコ係止部２００を説明する図である。図３（ａ）は、第２部材１２の長手方向の断面図である。図３（ｂ）は、ヤットコ係止部２００の（ａ）の断面方向と交差する方向の断面図である。
【００３６】
ヤットコ係止部２００は、口金挿入部１１３，１２３に挿入されたヤットコ６００の口金６１０に、第１部材１１（図２参照）又は第２部材１２を係止する部材である。以下、第２部材１２に設けられたヤットコ係止部２００について説明する。なお、第１部材１１（図２参照）に設けられたヤットコ係止部２００は、第２部材１２に設けられたものと同一構成であるので、説明を省略する。
【００３７】
ヤットコ係止部２００は、係止孔１２０ａを中心に背面１２７から突出する円筒状のヤットコ係止部本体２１０と、ヤットコ係止部本体２１０の先端においてこのヤットコ係止部本体２１０が延びる方向に移動可能な係止ピン２２０と、ヤットコ係止部本体２１０の内部に配置され係止ピン２２０を付勢するコイル状の付勢部材２３０と、を備える。
【００３８】
ヤットコ係止部本体２１０は、円筒状の胴部２１１と、円筒状の胴部２１１の先端に設けられた蓋部２１２とから形成される。胴部２１１の内面２１１ａには、胴部２１１が延びる方向に沿って突起部係合溝２１１ｂが形成されている。
【００３９】
係止ピン２２０は、胴部２１１及び蓋部２１２の中心に形成されたピン挿通孔２１２ａ、並びに係止孔１２０ａを貫通する棒状の軸部２２１と、軸部２２１の一端側に設けられた把持部２２２と、胴部２１１の内部において軸部２２１に形成された突起部２２３と、とから形成される。軸部２２１の他端側は、係止孔１２０ａを貫通して口金挿入部１２３に達し、口金６１０に形成された口金係止孔６１０ａに挿入される。
【００４０】
突起部２２３は、係止ピン２２０をヤットコ係止部本体２１０が延びる方向に移動させるガイドであり、先端部分が突起部係合溝２１１ｂにスライド可能に係合し、付勢部材２３０に係止する。
【００４１】
付勢部材２３０は、その中心に係止ピン２２０の軸部２２１が挿通され、胴部２１１の内部に配置される。付勢部材２３０は、中間部分において胴部２１１の突起部２２３と係止し、係止ピン２２０を係止孔１２０ａが形成された方向に付勢する。
【００４２】
これにより、ヤットコ６００の口金６１０に、第２部材１２を取付ける手順は以下のとおりとなる。
まず、把持部２２２を把持して、ヤットコ係止部本体２１０が延びる方向に、係止ピン２２０を移動させる。これにより、軸部２２１の他端側は、口金挿入部１２３から引っ込む。この状態で、係止ピン２２０を保持する。次に、口金挿入部１２３にヤットコ６００の口金６１０を挿入する。そして、係止ピン２２０を放す。すると、係止ピン２２０は、付勢部材２３０により、係止孔１２０ａが形成された方向に付勢される。そして、軸部２２１の他端側は、係止孔１２０ａを貫通して、口金６１０に形成された口金係止孔６１０ａに挿入される。これにより、第２部材１２は、ヤットコ６００の口金６１０に係止される。
【００４３】
図４は、本発明の第１実施形態に係る補助部材１を適用した電線被覆の剥ぎ取り作業を説明する図である。
第１実施形態の補助部材１を適用した電線被覆の剥ぎ取り作業は、以下のとおりである。
図４（ａ）は、本作業において、電線被覆切断用刃を電線の被覆に食い込ませるまでの作業を説明する図である。
まず、第１部材１１及び第２部材１２をヤットコ６００の２つの口金６１０の先端にそれぞれ装着する。そして、ヤットコ６００の２つの口金６１０を近接させ、ハグラー５００における第１操作部５２０のねじ回し部５２２を、第１部材１１及び第２部材１２の対向面１１１及び対向面１２１で狭持する。このとき、対向面１１１及び対向面１２１に形成した突起１１２及び突起１２２は、ねじ回し部５２２のねじ回し孔５２３に係合させる。また、ねじ係合部１１４及びねじ係合部１２４は、ねじ５２１を保持する。そして、ヤットコ６００の端部を持って、ハグラー５００を電線２に掛ける。
次に、ねじ回し部５２２を第１部材１１及び第２部材１２の対向面１１１及び対向面１２１で狭持したまま、ヤットコ６００を回転させる。すると、ねじ５２１が回転して電線被覆切断用刃５１０が電線２に押しつけられ、電線被覆切断用刃５１０が電線２の被覆に食い込む。
【００４４】
図４（ｂ）及び（ｃ）は、本作業において、電線被覆切断用刃を電線の被覆に食い込ませた後、電線の被覆を剥取るまでの作業を説明する図である。
まず、ヤットコ６００の２つの口金６１０を離間させ、第１部材１１及び第２部材１２の対向面１１１及び対向面１２１で狭持していたねじ回し部５２２を開放する。
次に、引っ掛け部１１６の首部１１６ａを、ハグラー５００の第１操作部５２０のねじ回し孔５２３に挿通する。そして、ヤットコ６００を上方に押し上げる。すると、ハグラー５００は、電線２を中心に回動し、第１操作部５２０が上方に回動するとともに、第２操作部５３０が下方に回動する。
次に、引っ掛け部１１６の首部１１６ａを、第１操作部５２０のねじ回し孔５２３から抜き、第２操作部５３０の操作孔５３２に挿通する。そして、ヤットコ６００を上方に押し上げる。すると、ハグラー５００は、電線２を中心に回動し、第２操作部５３０が上方に回動するとともに、第１操作部５２０が下方に回動する。このようなハグラー５００の操作により、電線２の被覆を剥取ることができる。
【００４５】
このように、間接活線工事における電線被覆剥取り工具の操作において、電線把持器３００（図６参照）やバインド打ち器８００（図６参照）を用いることなく、補助部材１を装着したヤットコ６００だけで、ハグラー５００を回転させ、電線２の被覆を剥取ることができる。
したがって、間接活線工事における電線被覆剥取り工具の操作を１つの先端工具である把持工具で行うことで、電線被覆の剥取り作業の作業効率を向上できる。
【００４６】
〔第２実施形態〕
本発明の第２実施形態に係る補助部材１Ａは、主として引っ掛け部が無く、突起の形状が異なる。
図５は、本発明の第２実施形態に係る補助部材１Ａの斜視図である。
【００４７】
補助部材１Ａは、２つの口金６１０の先端にそれぞれ装着される第１部材１１Ａ及び第２部材１２Ａを備える。
第１部材１１Ａ及び第２部材１２Ａは、ヤットコ６００の２つの口金６１０を近接させたときに、ハグラー５００のねじ回し部５２２を狭持する。
【００４８】
第１部材１１Ａは、第１部材本体１１０Ａと、第１部材本体１１０Ａの平面状の対向面１１１から突出する突起１１２Ａと、第１部材本体１１０Ａの基端に形成された口金挿入部１１３と、第１部材本体１１０Ａの先端に形成されたねじ係合部１１４と、対向面１１１の背後に形成された背面１１７からねじ込まれるヤットコ係止部２００と、を備える。
【００４９】
第２部材１２Ａは、第２部材本体１２０Ａと、第２部材本体１２０Ａの平面状の対向面１２１から突出する突起１２２Ａと、第２部材本体１２０Ａの基端に形成された口金挿入部１２３と、第２部材本体１２０Ａの先端に形成されたねじ係合部１２４と、対向面１２１の背後に形成された背面１２７からねじ込まれるヤットコ係止部２００と、を備える。
【００５０】
第１部材１１Ａの突起１１２Ａは、その外径が略円形状のねじ回し孔５２３の内径より小さく形成され、２つの口金６１０を互いに近接させたときに、略円形状のねじ回し孔５２３と係合する。また、突起１１２Ａには、第１部材１１Ａを貫通する貫通孔１１２Ｂが形成されている。
【００５１】
第２部材１２Ａの突起１２２Ａは、その外径が略円形状のねじ回し孔５２３の内径より小さく形成され、２つの口金６１０を互いに近接させたときに、略円形状のねじ回し孔５２３と係合する。また、突起１２２Ａには、対向面１２１と略直交する方向に延びるピン１２２Ｂが設けられている。このピン１２２Ｂは、ヤットコ６００の２つの口金６１０を近接させたときに、第１部材１１Ａの貫通孔１１２Ｂに挿入され、第１部材１１Ａを貫通する。
【００５２】
第２実施形態の補助部材１Ａを適用した電線被覆の剥ぎ取り作業における電線被覆切断用刃を電線の被覆に食い込ませた後、電線の被覆を剥取るまでの作業は、以下のとおりである。
まず、ヤットコ６００の２つの口金６１０を、ピン１２２Ｂが貫通孔１１２Ｂから抜けない範囲で離間させ、第１部材１１及び第２部材１２の対向面１１１及び対向面１２１で狭持していたねじ回し部５２２を開放する。このとき、対向面１１１及び対向面１２１に形成した突起１１２Ａ及び突起１２２Ａは、ねじ回し部５２２のねじ回し孔５２３との係合を解除されている。また、ねじ係合部１１４及びねじ係合部１２４は、ねじ５２１の保持を解除されている。しかし、貫通孔１１２Ｂにその一部が挿入されたピン１２２Ｂは、ねじ回し孔５２３を貫通している。
次に、ヤットコ６００を上方に押し上げる。すると、ハグラー５００は、電線２を中心に回動し、第１操作部５２０が上方に回動するとともに、第２操作部５３０が下方に回動する。
次に、ヤットコ６００の２つの口金６１０を、ピン１２２Ｂが貫通孔１１２Ｂ及びねじ回し孔５２３から抜けるまで離間させる。
次に、ピン１２２Ｂを、第２操作部５３０の操作孔５３２に挿通し、その一部を貫通孔１１２Ｂに挿入する。
そして、ヤットコ６００を上方に押し上げる。すると、ハグラー５００は、電線２を中心に回動し、第２操作部５３０が上方に回動するとともに、第１操作部５２０が下方に回動する。このようなハグラー５００の操作により、電線２の被覆を剥取ることができる。
【００５３】
なお、本発明は前記実施形態に限定されるものではなく、本発明の目的を達成できる範囲での変形、改良等は本発明に含まれるものである。
【符号の説明】
【００５４】
１      補助部材
１１    第１部材
１２    第２部材
１１１，１２１  対向面
１１２，１２２  突起
２      電線
５００  ハグラー
５１０  電線被覆切断用刃
５２０  第１操作部
５２１  ねじ
５２２  ねじ回し部
５２３  ねじ回し孔
５３０  第２操作部
５３１  支持部
５３２  操作孔
６００  ヤットコ
６１０  口金
【図１】
0005436140.tif 000002
【図２】
0005436140.tif 000003
【図３】
0005436140.tif 000004
【図４】
0005436140.tif 000005
【図５】
0005436140.tif 000006
【図６】
0005436140.tif 000007